(57)【要約】  本発明の実施例はリソース指示方法、装置及び記憶媒体、システムを開示し、該方法は、第１ネットワーク装置は第１シグナリングを第２ネットワーク装置に送信し、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であるステップと、前記第１ネットワーク装置は前記第１シグナリング中の指示情報に対応するシンボルレベル設定情報に基づき、前記第２ネットワーク装置とデータ伝送を行うステップと、を含む。設定対象スロットごとにシンボルレベル設定情報を指示する必要がなく、シグナリングのオーバーヘッドを節約するだけでなく、すべての設定対象スロットのシンボルレベル設定情報に対して統一した指示を行う必要がなく、シンボルレベル設定の柔軟性を向上させる。
2020537833.tif 000002
【特許請求の範囲】
【請求項１】
リソース指示方法であって、
第１ネットワーク装置は、第１シグナリングを第２ネットワーク装置に送信するステップであって、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であるステップと、
前記第１ネットワーク装置は、前記第１シグナリング中の指示情報に対応するシンボルレベル設定情報に基づき、前記第２ネットワーク装置とデータ伝送を行うステップと、を含むことを特徴とする方法。
【請求項２】
前記方法は、
前記第１ネットワーク装置は第２シグナリングを前記第２ネットワーク装置に送信するステップをさらに含み、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応することを特徴とする請求項１に記載の方法。
【請求項３】
前記シンボルレベル設定情報は前記設定対象スロット中のデータ伝送を行う開始シンボル及び終了シンボルを含み、又は設定対象スロット中のデータ伝送を行う開始シンボル及びシンボル数を含み、又は設定対象スロット中のデータ伝送を行うシンボルを指示する１つのビットマップを含むことを特徴とする請求項１又は２に記載の方法。
【請求項４】
前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応することを特徴とする請求項１又は２に記載の方法。
【請求項５】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項１に記載の方法。
【請求項６】
前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報であることを特徴とする請求項５に記載の方法。
【請求項７】
前記第１シグナリングは、ダウンリンク制御情報（ＤＣＩ）によって搬送され、
又はメディアアクセス制御層制御要素（ＭＡＣＣＥ）によって搬送されることを特徴とする請求項１又は２に記載の方法。
【請求項８】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項２に記載の方法。
【請求項９】
前記第２シグナリングは無線リソース制御（ＲＲＣ）シグナリングによって搬送され、又はＭＡＣＣＥによって搬送されることを特徴とする請求項２に記載の方法。
【請求項１０】
リソース指示方法であって、
第２ネットワーク装置は、第１ネットワーク装置から送信される第１シグナリングを受信するステップであって、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であるステップと、
前記第２ネットワーク装置は、前記第１シグナリング中の指示情報に対応するシンボルレベル設定情報に基づき、前記第１ネットワーク装置とデータ伝送を行うステップと、を含むことを特徴とする方法。
【請求項１１】
前記第２ネットワーク装置は、前記第１ネットワーク装置から送信される第２シグナリングを受信するステップをさらに含み、前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応することを特徴とする請求項１０に記載の方法。
【請求項１２】
前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応することを特徴とする請求項１０又は１１に記載の方法。
【請求項１３】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項１０に記載の方法。
【請求項１４】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項１１に記載の方法。
【請求項１５】
ネットワーク装置であって、送信部及び第１データ伝送部を備え、
前記送信部は、第１シグナリングを第２ネットワーク装置に送信するように構成され、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第１データ伝送部は、前記第１シグナリング中の指示情報に対応するシンボルレベル設定情報に基づき、前記第２ネットワーク装置とデータ伝送を行うように構成されることを特徴とするネットワーク装置。
【請求項１６】
前記送信部はさらに、第２シグナリングを前記第２ネットワーク装置に送信するように構成され、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応することを特徴とする請求項１５に記載のネットワーク装置。
【請求項１７】
前記シンボルレベル設定情報は前記設定対象スロット中のデータ伝送を行う開始シンボル及び終了シンボルを含み、又は設定対象スロット中のデータ伝送を行う開始シンボル及びシンボル数を含み、又は設定対象スロット中のデータ伝送を行うシンボルを指示する１つのビットマップを含むことを特徴とする請求項１５に記載のネットワーク装置。
【請求項１８】
前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応することを特徴とする請求項１５又は１６に記載のネットワーク装置。
【請求項１９】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項１５に記載のネットワーク装置。
【請求項２０】
前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報であることを特徴とする請求項１９に記載のネットワーク装置。
【請求項２１】
前記第１シグナリングは、ダウンリンク制御情報（ＤＣＩ）によって搬送され、
又はメディアアクセス制御層制御要素（ＭＡＣＣＥ）によって搬送されることを特徴とする請求項１５又は１６に記載のネットワーク装置。
【請求項２２】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項１６に記載のネットワーク装置。
【請求項２３】
前記第２シグナリングは無線リソース制御（ＲＲＣ）シグナリングによって搬送され、又はＭＡＣＣＥによって搬送されることを特徴とする請求項１６に記載の方法。
【請求項２４】
ネットワーク装置であって、受信部及び第２データ伝送部を備え、
前記受信部は、第１ネットワーク装置から送信される第１シグナリングを受信するように構成され、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第２データ伝送部は、前記第１シグナリング中の指示情報に対応するシンボルレベル設定情報に基づき、前記第１ネットワーク装置とデータ伝送を行うように構成されることを特徴とするネットワーク装置。
【請求項２５】
前記受信部はさらに、前記第１ネットワーク装置から送信される第２シグナリングを受信するように構成され、前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応することを特徴とする請求項２４に記載のネットワーク装置。
【請求項２６】
前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応することを特徴とする請求項２４又は２５に記載のネットワーク装置。
【請求項２７】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項２４に記載のネットワーク装置。
【請求項２８】
前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項２５に記載のネットワーク装置。
【請求項２９】
ネットワーク装置であって、第１ネットワークインタフェース、第１メモリ及び第１プロセッサを備え、
前記第１ネットワークインタフェースは、ほかの外部ネットワークエレメントとの情報送受信中、信号の送受信を行うように構成され、
前記第１メモリは、前記第１プロセッサ上で実行可能なコンピュータプログラムを記憶するように構成され、
前記第１プロセッサは、前記コンピュータプログラムを実行する時、請求項１〜９のいずれか一項に記載の方法のステップを実行するように構成されることを特徴とするネットワーク装置。
【請求項３０】
ネットワーク装置であって、第２ネットワークインタフェース、第２メモリ及び第２プロセッサを備え、
前記第２ネットワークインタフェースは、ほかの外部ネットワークエレメントとの情報送受信中、信号の送受信を行うように構成され、
前記第２メモリは、第２プロセッサ上で実行可能なコンピュータプログラムを記憶するように構成され、
前記第２プロセッサは、前記コンピュータプログラムを実行する時、請求項１０〜１４のいずれか一項に記載の方法のステップを実行するように構成されることを特徴とするネットワーク装置。
【請求項３１】
コンピュータ可読媒体であって、リソース指示のためのプログラムが記憶され、前記リソース指示のためのプログラムが少なくとも１つのプロセッサによって実行される時、請求項１〜９のいずれか一項に記載の方法のステップを実現するコンピュータ可読媒体。
【請求項３２】
コンピュータ可読媒体であって、リソース指示のためのプログラムが記憶され、前記リソース指示のためのプログラムが少なくとも１つのプロセッサによって実行される時、請求項１０〜１４のいずれか一項に記載の方法のステップを実現するコンピュータ可読媒体。
【請求項３３】
リソース指示システムであって、第１ネットワーク装置及び第２ネットワーク装置を備え、
前記第１ネットワーク装置は、第１シグナリングを前記第２ネットワーク装置に送信するように構成され、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
及び、前記第１シグナリング中の指示情報に対応するシンボルレベル設定情報に基づき、前記第２ネットワーク装置とデータ伝送を行うように構成され、
前記第２ネットワーク装置は、前記第１ネットワーク装置から送信される前記第１シグナリングを受信し、
及び、前記第１シグナリング中の指示情報に対応するシンボルレベル設定情報に基づき、前記第１ネットワーク装置とデータ伝送を行うように構成されることを特徴とするリソース指示システム。
【発明の詳細な説明】
【技術分野】
【０００１】
本発明は無線通信の技術分野に関し、特にリソース指示方法、装置及び記憶媒体、システムに関する。
【背景技術】
【０００２】
通信技術の発展に伴って、第５世代移動通信技術（５Ｇ：５ｔｈ  Ｇｅｎｅｒａｔｉｏｎ）の研究も展開されている。５Ｇの無線アクセスはＮｅｗ  Ｒａｄｉｏと呼び、ＮＲと略称する。５Ｇは超高データ伝送速度、大量のデータ接続数及び低いデータ伝送遅延をサポートする必要があるため、従って、現在採用されているロングタームエボリューション（ＬＴＥ：Ｌｏｎｇ  Ｔｅｒｍ  Ｅｖｏｌｕｔｉｏｎ）システムに比べて、５Ｇ  ＮＲシステムでは、リソース割り当ての柔軟性を向上させ、且つデータ伝送遅延を低減させるために、シンボルレベルのリソース割り当て方式を導入してチャネルの時間領域位置の柔軟性を向上させる。
【０００３】
シンボルレベルのリソース割り当て方式が導入されるため、物理ダウンリンク共有チャネル（ＰＤＳＣＨ：Ｐｈｙｓｉｃａｌ  Ｄｏｗｎｌｉｎｋ  Ｓｈａｒｅｄ  ＣＨａｎｎｅｌ）及び物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）等のデータチャネルの時間領域位置をシンボル単位で実現でき、１つのＰＤＳＣＨ又はＰＵＳＣＨは１つのスロットｓｌｏｔ中の一部のシンボルのみを使用する可能性がある。従って、５Ｇ基地局ｇＮＢは１つのｓｌｏｔ内で使用されるシンボル情報を端末に指示する必要がある。そしてマルチスロット（ｍｕｌｔｉ−ｓｌｏｔ）スケジューリング又はスロット集約（ｓｌｏｔ  ａｇｇｒｅｇａｔｉｏｎ）スケジューリングを行う場合、ｇＮＢは複数のｓｌｏｔのうちの各々のｓｌｏｔに使用されるシンボル情報を指示して設定する必要がある。具体的な方式として、スケジューリングされるｓｌｏｔごとに、それぞれ異なる開始又は終了シンボルを設定すること、又はスケジューリングされるｓｌｏｔのすべてが統一したシンボル設定を使用することが挙げられる。
【０００４】
従って、複数のｓｌｏｔのうちの各々のｓｌｏｔに対して指示して設定する現在の技術案は、一方ではシグナリングオーバーヘッドが極めて大きく、他方では異なるスロットのシンボルを柔軟に設定することができない。
【発明の概要】
【発明が解決しようとする課題】
【０００５】
上記技術的問題を解決するために、本発明の実施例は、シグナリングのオーバーヘッドを減少させるだけでなく、シンボル設定の柔軟性を向上させることができるリソース指示方法、装置及び記憶媒体、システムを提供することを目的とする。
【課題を解決するための手段】
【０００６】
本発明の実施例の技術案は以下のように実現され得る。
【０００７】
第１態様によれば、本発明の実施例はリソース指示方法を提供し、前記方法は、
第１ネットワーク装置は、第１シグナリングを第２ネットワーク装置に送信するステップであって、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であるステップと、
前記第１ネットワーク装置は、前記第１シグナリング中の指示情報に対応するシンボルレベル設定情報に基づき、前記第２ネットワーク装置とデータ伝送を行うステップと、を含む。
【０００８】
第２態様によれば、本発明の実施例はリソース指示方法を提供し、前記方法は、
第２ネットワーク装置は、第１ネットワーク装置から送信される第１シグナリングを受信するステップであって、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であるステップと、
前記第２ネットワーク装置は、前記第１シグナリング中の指示情報に対応するシンボルレベル設定情報に基づき、前記第１ネットワーク装置とデータ伝送を行うステップと、を含む。
【０００９】
第３態様によれば、本発明の実施例はネットワーク装置を提供し、前記ネットワーク装置は送信部及び第１データ伝送部を備え、
前記送信部は、第１シグナリングを第２ネットワーク装置に送信するように構成され、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第１データ伝送部は、前記第１シグナリング中の指示情報に対応するシンボルレベル設定情報に基づき、前記第２ネットワーク装置とデータ伝送を行うように構成される。
【００１０】
第４態様によれば、本発明の実施例はネットワーク装置を提供し、前記ネットワーク装置は受信部及び第２データ伝送部を備え、
前記受信部は、第１ネットワーク装置から送信される第１シグナリングを受信するように構成され、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第２データ伝送部は、前記第１シグナリング中の指示情報に対応するシンボルレベル設定情報に基づき、前記第１ネットワーク装置とデータ伝送を行うように構成される。
【００１１】
第５態様によれば、本発明の実施例はネットワーク装置を提供し、前記ネットワーク装置は第１ネットワークインタフェース、第１メモリ及び第１プロセッサを備え、
前記第１ネットワークインタフェースは、ほかの外部ネットワークエレメントとの情報送受信中、信号の送受信を行うように構成され、
前記第１メモリは、前記第１プロセッサ上で実行可能なコンピュータプログラムを記憶するように構成され、
前記第１プロセッサは、前記コンピュータプログラムを実行する時、第１態様のいずれかに記載の方法のステップを実行するように構成される。
【００１２】
第６態様によれば、本発明の実施例はネットワーク装置を提供し、前記ネットワーク装置は第２ネットワークインタフェース、第２メモリ及び第２プロセッサを備え、
前記第２ネットワークインタフェースは、ほかの外部ネットワークエレメントとの情報送受信中、信号の送受信を行うように構成され、
前記第２メモリは、第２プロセッサ上で実行可能なコンピュータプログラムを記憶するように構成され、
前記第２プロセッサは、前記コンピュータプログラムを実行する時、第２態様のいずれかに記載の方法のステップを実行するように構成される。
【００１３】
第７態様によれば、本発明の実施例はコンピュータ可読媒体を提供し、前記コンピュータ可読媒体はリソース指示のためのプログラムが記憶され、前記リソース指示のためのプログラムが少なくとも１つのプロセッサによって実行される時、第１態様のいずれかに記載の方法のステップを実現する。
【００１４】
第８態様によれば、本発明の実施例はコンピュータ可読媒体を提供し、前記コンピュータ可読媒体はリソース指示のためのプログラムが記憶され、前記リソース指示のためのプログラムが少なくとも１つのプロセッサによって実行される時、第２態様のいずれかに記載の方法のステップを実現する。
【００１５】
第９態様によれば、本発明の実施例はリソース指示システムを提供し、前記システムは第１ネットワーク装置及び第２ネットワーク装置を備え、
前記第１ネットワーク装置は、第１シグナリングを前記第２ネットワーク装置に送信するように構成され、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、及び
前記第１シグナリング中の指示情報に対応するシンボルレベル設定情報に基づき、前記第２ネットワーク装置とデータ伝送を行うように構成され、
前記第２ネットワーク装置は、前記第１ネットワーク装置から送信される前記第１シグナリングを受信するように構成され、及び
前記第１シグナリング中の指示情報に対応するシンボルレベル設定情報に基づき、前記第１ネットワーク装置とデータ伝送を行うように構成される。
【発明の効果】
【００１６】
本発明の実施例はリソース指示方法、装置及び記憶媒体、システムを提供し、指示情報の数が設定対象スロットの数より小さいことによって、Ｎ個の指示情報に従ってＭ（ＭはＮより大きい）個の設定対象スロットのデータ伝送に対してシンボルレベル設定を行うことができる。従って、設定対象スロットの一部は指示情報の指示に基づいてシンボルレベル時間領域リソース設定を行い、残りは統一したシンボルレベル時間領域リソース設定を採用する。設定対象スロットごとにシンボルレベル設定情報を指示する必要がなく、シグナリングのオーバーヘッドを節約するだけでなく、すべての設定対象スロットのシンボルレベル設定情報に対して統一した指示を行う必要がなく、シンボルレベル設定の柔軟性を向上させる。
【図面の簡単な説明】
【００１７】
【図１】関連技術に係るスロット指示の模式図である。
【図２】関連技術に係る別のスロット指示の模式図である。
【図３】本発明の実施例に係るリソース指示方法のフローチャートである。
【図４】本発明の実施例に係る別のリソース指示方法のフローチャートである。
【図５】本発明の実施例に係る応用シーンの模式図である。
【図６】本発明の実施例に係るスロット指示の模式図である。
【図７】本発明の実施例に係る別のスロット指示の模式図である。
【図８】本発明の実施例に係るさらに別のスロット指示の模式図である。
【図９】本発明の実施例に係るまたさらに別のスロット指示の模式図である。
【図１０】本発明の実施例に係る別のスロット指示の模式図である。
【図１１】本発明の実施例に係るさらに別のスロット指示の模式図である。
【図１２】本発明の実施例に係るネットワーク装置の構成模式図である。
【図１３】本発明の実施例に係るネットワーク装置のハードウェア構造模式図である。
【図１４】本発明の実施例に係る別のネットワーク装置の構成模式図である。
【図１５】本発明の実施例に係る別のネットワーク装置のハードウェア構造模式図である。
【図１６】本発明の実施例に係るリソース指示システムの構成模式図である。
【発明を実施するための形態】
【００１８】
従来の関連技術では、マルチスロット（ｍｕｌｔｉ−ｓｌｏｔ）又はスロット集約（ｓｌｏｔ  ａｇｇｒｅｇａｔｉｏｎ）スケジューリングを行う時、基地局は以下の２種のスキームを採用して複数のｓｌｏｔのそれぞれに使用されるシンボル情報を指示する。
【００１９】
スキーム１
図１に示されるスロット指示の模式図を参照し、スケジューリングされるスロットｓｌｏｔごとにそれぞれ開始シンボル及び終了シンボルを設定し、従って、以上から分かるように、異なるスロットは異なるシンボルレベル時間領域リソース設定を採用でき、基地局はダウンリンク制御情報（ＤＣＩ：Ｄｏｗｎｌｉｎｋ  Ｃｏｎｔｒｏｌ  Ｉｎｆｏｒｍａｔｉｏｎ）中の異なる指示情報を採用してそれぞれ異なるスロットに対応するシンボルレベル時間領域リソース設定を指示することができ、
スキーム１の技術案を採用すると、シグナリングオーバーヘッドが増加し、図１に示すように、８個のｓｌｏｔを集約したＰＤＳＣＨを例として説明すると、スケジューリングされるｓｌｏｔごとに異なる開始シンボル及び終了シンボルを有し、従って、スケジューリングされるｓｌｏｔごとに対応するシンボルレベル時間領域リソース設定はすべてＤＣＩ中の異なる指示情報によって指示され、従ってＤＣＩ中の指示情報の数は８である。以上からわかるように、ＬＴＥシステムでリソース設定指示を行うシグナリングオーバーヘッドに比べて、シグナリングオーバーヘッドはＬＴＥシステムでリソース設定指示を行うシグナリングオーバーヘッドの８倍となる。
【００２０】
シグナリングオーバーヘッドを節約するために、従来の関連技術はスキーム２を提案している。
【００２１】
図２に示されるスロット指示の模式図を参照し、スケジューリングされるスロットｓｌｏｔごとにそれぞれ開始シンボル及び終了シンボルを設定し、且つスケジューリングされるｓｌｏｔごとに設定される開始シンボル及び終了シンボルが同じであり、すなわちすべてのスケジューリングされるスロットが同一のシンボルレベル時間領域リソース設定を使用し、それにより基地局によって採用されるＤＣＩに、１つの指示情報のみが含まれる。図２に示すように、８個のｓｌｏｔを集約したＰＤＳＣＨを例として説明すると、スケジューリングされるｓｌｏｔがすべて統一した開始シンボル及び終了シンボルを設定し、従って、ＤＣＩ中の指示情報の数が１であり、スキーム１に比べてシグナリングオーバーヘッドを減少させるが、各スロットのシンボルレベル設定を強制的に統一するため、スキーム２の技術案は設定の柔軟性の低下につながる。
【００２２】
関連技術の２つのスキームの問題に対して、以下、本発明の実施例の図面を参照して、以下の実施例によって上記問題を解決する。
【００２３】
実施例１
図３は、本発明の実施例に係るリソース指示方法を示し、該方法はステップＳ３０１〜Ｓ３０２を含む。
【００２４】
Ｓ３０１では、第１ネットワーク装置は、第１シグナリングを第２ネットワーク装置に送信し、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
なお、本実施例及び後続の実施例では、ネットワーク装置とは、ネットワーク環境に位置する装置であり、従って、ネットワーク装置はユーザー装置及びネットワーク側装置に分けられ、ユーザー装置は具体的には、端末装置、例えば、セルラーホン、スマートフォン、セッション開始プロトコル（ＳＩＰ）電話、ラップトップコンピュータ、パーソナルデジタルアシスタント（ＰＤＡ）、衛星ラジオ、全地球測位システム、マルチメディア装置、ビデオ装置、デジタルオーディオプレーヤー（例えば、ＭＰ３プレーヤー）、カメラ、ゲーム機、タブレットコンピュータ、又は任意の類似機能を有するほかの装置であり得る。一方、ネットワーク側装置は基地局等のアクセスネットワーク装置又はコアネットワーク装置であり得る。
【００２５】
Ｓ３０２では、第１ネットワーク装置は、第１シグナリング中の指示情報に対応するシンボルレベル設定情報に基づき、前記第２ネットワーク装置とデータ伝送を行う。
【００２６】
例えば、前記シンボルレベル設定情報はスロット中でデータ伝送を行う開始シンボル及び終了シンボルを含み、又はスロット中でデータ伝送を行う開始シンボル及びシンボル長さ数を含み、又は設定対象スロット中のデータ伝送を行うシンボルを指示する１つのビットマップｂｉｔｍａｐを含む。ビットマップについて、なお、ｂｉｔｍａｐの各ｂｉｔは１つのシンボルに対応し、ｂｉｔが１であると、該ｂｉｔに対応するシンボルがデータ伝送用のものであることを示し、ｂｉｔが０であると、該ｂｉｔに対応するシンボルがデータ伝送用のものではないことを示す。スロットに対してシンボルレベルに応じてデータ伝送を行う設定情報はいずれもシンボルレベル設定情報と呼ばれてもよいと理解できる。
【００２７】
なお、図３に示される技術案では、指示情報の数が設定対象スロットの数より小さいため、上記関連技術のスキーム１に比べて、シグナリングオーバーヘッドを減少させ、関連技術のスキーム２に比べて、すべての設定対象スロットに統一した設定情報を使用する必要がないため、スロットのシンボルレベル設定の柔軟性を向上させる。
【００２８】
図３に示される技術案に記載の第１シグナリングについて、可能な実施形態では、設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００２９】
図３に示される技術案に記載の第１シグナリングについて、可能な実施形態では、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【００３０】
具体的には、前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報である。
【００３１】
具体的な実施過程では、第１シグナリングはダウンリンク制御情報（ＤＣＩ：Ｄｏｗｎｌｉｎｋ  Ｃｏｎｔｒｏｌ  Ｉｎｆｏｒｍａｔｉｏｎ）によって搬送され、又はメディアアクセス制御（ＭＡＣ：Ｍｅｄｉａ  Ａｃｃｅｓｓ  Ｃｏｎｔｒｏｌ）層制御要素（ＭＡＣＣＥ：ＭＡＣ  Ｃｏｎｔｒｏｌ  Ｅｌｅｍｅｎｔ）によって搬送される。
【００３２】
図３に示される技術案について、第２ネットワーク装置は第１シグナリングに含まれる指示情報によって、設定対象スロットに対応するシンボルレベル設定情報を決定し、従って、Ｓ３０１の前、さらにシンボルレベル設定情報を第２ネットワーク装置に通知する必要があり、それにより第２ネットワーク装置が所定数の候補シンボルレベル設定情報を有し、それにより第２ネットワーク装置が指示情報によってシンボルレベル設定情報を決定できる。従って、可能な実施形態では、Ｓ３０１の前、本方法は、
第１ネットワーク装置は第２シグナリングを第２ネットワーク装置に送信するステップを含み、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【００３３】
具体的には、Ｎ個の指示情報のうちの各々の指示情報はそれぞれＰ個のシンボルレベル設定情報のうちの１つのシンボルレベル設定情報の番号ｉｎｄｅｘを指示し、番号ｉｎｄｅｘが特定のシンボルレベル設定情報をＰ個のシンボルレベル設定情報から一意的に区別でき、従って、指示情報のうちの各々の指示情報がそれぞれ対応するシンボルレベル設定情報の番号ｉｎｄｅｘを指示する場合、第１シグナリング中のＮ個の指示情報のうちの各々の指示情報がそれぞれＰ個のシンボルレベル設定情報のうちの１つのシンボルレベル設定情報に対応する。Ｎ個の指示情報のうちの各々の指示情報がＰ個のシンボルレベル設定情報のうちの対応するシンボルレベル設定情報を有するため、通常、ＰはＮ以上であることを理解できる。この時、Ｐ個のシンボルレベル設定情報は１つの指示情報によって指示される候補シンボルレベル設定情報の集合を形成する。
【００３４】
上記可能な実施形態及び図３に示される技術案において、可能な実施形態では、設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００３５】
それにより第１設定対象スロットのシンボルレベル設定情報は第１指示情報によって指示されるシンボルレベル設定情報に対応し、第２設定対象スロットのシンボルレベル設定情報はいずれも第２指示情報によって指示されるシンボルレベル設定情報である。且つ、第１指示情報によって指示されるシンボルレベル設定情報は第２シグナリング中のＰ個のシンボルレベル設定情報及び第１指示情報に対応するシンボルレベル設定情報であり、第２指示情報によって指示されるシンボルレベル設定情報は第２シグナリング中のＰ個のシンボルレベル設定情報及び第１指示情報に対応するシンボルレベル設定情報である。
【００３６】
上記可能な実施形態及び図３に示される技術案において、可能な実施形態では、設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【００３７】
具体的な実施過程では、第２シグナリングは無線リソース制御（ＲＲＣ：Ｒａｄｉｏ  Ｒｅｓｏｕｒｃｅ  Ｃｏｎｔｒｏｌ）シグナリングによって搬送され、又はＭＡＣＣＥによって搬送される。
【００３８】
上記技術案によれば、送信される第１シグナリングがＮ個の指示情報を含み、設定対象スロットの数がＭ（ＭはＮより大きい）個である。従って、Ｎ個の指示情報に従ってＭ個の設定対象スロットのデータ伝送に対してシンボルレベル設定を行うことができる。設定対象スロットごとにシンボルレベル設定情報を指示する必要がなく、シグナリングのオーバーヘッドを節約するだけでなく、すべての設定対象スロットのシンボルレベル設定情報に対して統一した指示を行う必要がなく、シンボルレベル設定の柔軟性を向上させる。
【００３９】
実施例２
上記実施例と同じ発明のコンセプトに基づき、図４は、本発明の実施例に係る別のリソース指示方法を示し、該方法は上記実施例に記載の第１ネットワーク装置と対話する第２ネットワーク装置に適用され、該方法はステップＳ４０１〜Ｓ４０２を含む。
【００４０】
Ｓ４０１では、第２ネットワーク装置は、第１ネットワーク装置から送信される第１シグナリングを受信し、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報である。
【００４１】
Ｓ４０２では、第２ネットワーク装置は、第１シグナリング中の指示情報に対応するシンボルレベル設定情報に基づき、前記第１ネットワーク装置とデータ伝送を行う。
【００４２】
具体的には、設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００４３】
具体的には、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報であり、デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報であり得る。例えば、第２ネットワーク装置はＲＲＣシグナリング又はＳＩを受信し、ＲＲＣシグナリング又はＳＩを解析することによって、ＲＲＣシグナリング又はＳＩ中の設定されたデフォルトのシンボルレベル設定情報を取得できる。
【００４４】
具体的な実施過程では、第１シグナリングはダウンリンク制御情報（ＤＣＩ：Ｄｏｗｎｌｉｎｋ  Ｃｏｎｔｒｏｌ  Ｉｎｆｏｒｍａｔｉｏｎ）によって搬送され、又はメディアアクセス制御（ＭＡＣ：Ｍｅｄｉａ  Ａｃｃｅｓｓ  Ｃｏｎｔｒｏｌ）層制御要素（ＭＡＣＣＥ：ＭＡＣ  Ｃｏｎｔｒｏｌ  Ｅｌｅｍｅｎｔ）によって搬送される。
【００４５】
可能な実施形態では、Ｓ４０１の前、本方法はさらに、
第２ネットワーク装置は第１ネットワーク装置から送信される第２シグナリングを受信するステップを含み、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【００４６】
具体的には、設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００４７】
それにより第１設定対象スロットのシンボルレベル設定情報は第１指示情報によって指示されるシンボルレベル設定情報に対応し、第２設定対象スロットのシンボルレベル設定情報はいずれも第２指示情報によって指示されるシンボルレベル設定情報である。且つ、第１指示情報によって指示されるシンボルレベル設定情報は第２シグナリング中のＰ個のシンボルレベル設定情報及び第１指示情報に対応するシンボルレベル設定情報であり、第２指示情報によって指示されるシンボルレベル設定情報は第２シグナリング中のＰ個のシンボルレベル設定情報及び第１指示情報に対応するシンボルレベル設定情報である。
【００４８】
具体的には、設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【００４９】
具体的な実施過程では、第２シグナリングは無線リソース制御（ＲＲＣ：Ｒａｄｉｏ  Ｒｅｓｏｕｒｃｅ  Ｃｏｎｔｒｏｌ）シグナリングによって搬送され、又はＭＡＣＣＥによって搬送される。
【００５０】
上記技術案によれば、第２ネットワーク装置は第１シグナリング、又は第１シグナリング及び第２シグナリングを受信すると、Ｎ個の指示情報に従ってＭ個の設定対象スロットのデータ伝送に対してシンボルレベル設定を行うことができる。設定対象スロットごとにシンボルレベル設定情報を指示する必要がなく、シグナリングのオーバーヘッドを節約するだけでなく、すべての設定対象スロットのシンボルレベル設定情報に対して統一した指示を行う必要がなく、シンボルレベル設定の柔軟性を向上させる。
【００５１】
実施例３
上記実施例と同じ発明のコンセプトに基づき、本実施例は以下の具体例によって上記実施例の技術案を説明し、説明を行う前に、図５を参照し、具体例の非典型的な応用シーンを示し、該シーンでは、第１ネットワーク装置はネットワーク側装置又は端末装置であってもよく、本シーンでは、ネットワーク側装置、例えばｇＮＢを例とし、第２ネットワーク装置は端末装置、第１シグナリングはＤＣＩ、第２シグナリングはＲＲＣシグナリングであり、具体的には、第１シグナリングはＮ個の指示情報を含み、ｇＮＢはデータチャネルに供するようにＭ個のスロットをスケジューリングする必要があり、各スロットのシンボル数は１４個を例とする。データチャネルは具体的にはＰＤＳＣＨ、ＰＵＳＣＨ又はサイドリンクデータチャネル（ＰＳＳＣＨ：Ｐｈｙｓｉｃａｌ  Ｓｉｄｅｌｉｎｋ  Ｓｈａｒｅｄ  Ｃｈａｎｎｅｌ）であってもよく、本シーンでは詳細な説明をしない。
【００５２】
具体例１
図６に示されるスロット指示の模式図を参照し、ｇＮＢは２個の指示情報を含むＤＣＩを端末装置に送信し、４個の設定対象スロットに対してシンボルレベル時間領域リソース設定を行うことを指示することに用いられる。具体的には、４個の設定対象スロットのうち、第１個の設定対象スロット、すなわちスロット０は、２個の指示情報のうちの第１個の指示情報によって指示されるシンボルレベル設定情報１によってシンボルレベル時間領域リソース設定を行い、４個の設定対象スロットのうちの残りの３個の設定対象スロット、すなわちスロット１、スロット２及びスロット３は、２個の指示情報のうちの第２個の指示情報によって指示されるシンボルレベル設定情報２によってシンボルレベル時間領域リソース設定を行い、
具体的には、シンボルレベル設定情報は、スロット０中でｇＮＢと端末装置がデータ伝送を行うためのシンボルであり得る。第１個の指示情報は、ｇＮＢがＤＣＩを送信する前に送信するＲＲＣに含まれるＰ個のシンボルレベル設定情のうちの特定の設定情報の番号であってもよく、それにより端末装置は第１個の指示情報に基づきスロット０に対してシンボルレベル時間領域リソース設定を行う時に採用するシンボルレベル設定情報を取得ででき、第２個の指示情報によって指示されるシンボルレベル設定情報は予め設定されたシンボルレベル設定情報又はシステム情報（ＳＩ：Ｓｙｓｔｅｍ  Ｉｎｆｏｒｍａｔｉｏｎ）によって設定されたデフォルトのシンボルレベル設定情報であり得る。
【００５３】
本具体例では、ｇＮＢが端末装置に複数のスロットを一括してスケジューリングする場合、ｇＮＢが最初からの所定数（例えば、１〜２個）のスロットごとにシンボルレベル時間領域リソース設定を行うが、後続のスロットのシンボルレベル時間領域リソース設定に対して、統一した予め設定された又はデフォルトのシンボルレベル設定情報を採用し、本具体例は図１に示される関連技術のスキーム１に比べてシグナリングオーバーヘッドを低減させることができ、図２に示される関連技術のスキーム２に比べて、設定の柔軟性及び効率を大幅に向上させることができる。
【００５４】
具体例２
図７に示されるスロット指示の模式図を参照し、ｇＮＢは３個の指示情報を含むＤＣＩを端末装置に送信し、８個の設定対象スロットに対してシンボルレベル時間領域リソース設定を行うことを指示することに用いられる。具体的には、８個の設定対象スロットのうち、スロット０、１はそれぞれ３個の指示情報のうちの第１、第２個の指示情報によって指示されるシンボルレベル設定情報１、シンボルレベル設定情報２によってシンボルレベル時間領域リソース設定を行い、スロット２、３、４、５、６、７は３個の指示情報のうちの第３個の指示情報によって指示されるシンボルレベル設定情報３によってシンボルレベル時間領域リソース設定を行う。
【００５５】
本具体例では、ｇＮＢが端末装置に複数のスロットを一括してスケジューリングする場合、ｇＮＢが最初からの所定数（例えば、１〜２個）のスロットごとにシンボルレベル時間領域リソース設定を行うが、後続スロットのシンボルレベルリソース設定に対して、指示情報のうちの残りの指示情報によって指示されるシンボルレベル設定情報を統一的に採用して設定し、具体例１と同様に、本具体例は図１に示される関連技術のスキーム１に比べてシグナリングオーバーヘッドを低減させることができ、図２に示される関連技術のスキーム２に比べて、設定の柔軟性及び効率を大幅に向上させることができる。
【００５６】
具体例３
図８に示されるスロット指示の模式図を参照し、ｇＮＢは１個の指示情報を含むＤＣＩを端末装置に送信し、４個の設定対象スロットに対してシンボルレベル時間領域リソース設定を行うことを指示することに用いられる。具体的には、４個の設定対象スロットのうち、第１個の設定対象スロット、すなわちスロット０は、ＤＣＩ中の１個の指示情報によって指示されるシンボルレベル設定情報１によってシンボルレベル時間領域リソース設定を行うが、４個の設定対象スロットのうちの残りの３個の設定対象スロット、すなわちスロット１、スロット２及びスロット３は、ｇＮＢから端末に送信されるＲＲＣメッセージに含まれるＰ個のシンボルレベル設定情報のうちの特定のシンボルレベル設定情報２によってシンボルレベル時間領域リソース設定を行う。
【００５７】
本具体例では、ｇＮＢが端末装置に複数のスロットを一括してスケジューリングする場合、ｇＮＢが最初からの所定数（例えば、１〜２個）のスロットごとに、指示情報に従ってシンボルレベル時間領域リソース設定を行うが、後続スロットのシンボルレベル時間領域リソース設定に対してＲＲＣシグナリングに含まれるシンボルレベル設定情報を採用し、従って、具体例１に比べて、ＤＣＩのシグナリングオーバーヘッドを更に低減させ、すなわちＤＣＩ中の指示情報の数が２個から１個となる。
【００５８】
具体例４
図９に示されるスロット指示の模式図を参照し、ｇＮＢは２個の指示情報を含むＤＣＩを端末装置に送信し、８個の設定対象スロットに対してシンボルレベル時間領域リソース設定を行うことを指示することに用いられる。具体的には、８個の設定対象スロットのうち、スロット０、１はそれぞれＤＣＩに含まれる２個の指示情報によって指示されるシンボルレベル設定情報１、シンボルレベル設定情報２によってシンボルレベル時間領域リソース設定を行い、スロット２、３、４、５、６、７はｇＮＢから端末に送信されるＲＲＣメッセージに含まれるＰ個のシンボルレベル設定情報のうちの特定のシンボルレベル設定情報３によってシンボルレベル時間領域リソース設定を行う。
【００５９】
以上からわかるように、本具体例では、ｇＮＢが後続スロットのシンボルレベル時間領域リソース設定に対してＲＲＣシグナリングに含まれるシンボルレベル設定情報を採用することで、具体例２に比べて、ＤＣＩのシグナリングオーバーヘッドを更に低減させ、すなわちＤＣＩ中の指示情報の数が３個から２個となる。
【００６０】
具体例５
図１０に示されるスロット指示の模式図を参照し、ｇＮＢは１個の指示情報を含むＤＣＩを端末装置に送信し、４個の設定対象スロットに対してシンボルレベル時間領域リソース設定を行うことを指示することに用いられる。具体的には、４個の設定対象スロットのうち、第１個の設定対象スロット、すなわちスロット０は、ＤＣＩ中の１個の指示情報によって指示されるシンボルレベル設定情報１によってシンボルレベル時間領域リソース設定を行うが、４個の設定対象スロットのうちの残りの３個の設定対象スロット、すなわちスロット１、スロット２及びスロット３は、デフォルトのシンボルレベル設定情報によってシンボルレベル時間領域リソース設定を行う。例えば、デフォルトのシンボルレベル設定情報は予め定義されたシンボルレベル設定情報であってもよく、システム情報（ＳＩ）によって設定されたシンボルレベル設定情報であってもよい。
【００６１】
本具体例では、ｇＮＢが端末装置に複数のスロットを一括してスケジューリングする場合、ｇＮＢが最初からの所定数（例えば、１〜２個）のスロットごとに、指示情報に従ってシンボルレベル時間領域リソース設定を行うが、後続スロットのシンボルレベル時間領域リソース設定に対してデフォルトのシンボルレベル設定情報を採用して設定することで、具体例３に比べて、ＲＲＣ情報を送信する必要がなく、それによりＲＲＣのシグナリングオーバーヘッドを低減させる。
【００６２】
具体例６
図１１に示されるスロット指示の模式図を参照し、ｇＮＢは２個の指示情報を含むＤＣＩを端末装置に送信し、８個の設定対象スロットに対してシンボルレベル時間領域リソース設定を行うことを指示することに用いられる。具体的には、８個の設定対象スロットのうち、スロット０、１はそれぞれＤＣＩに含まれる２個の指示情報によって指示されるシンボルレベル設定情報１、シンボルレベル設定情報２によってシンボルレベル時間領域リソース設定を行い、スロット２、３、４、５、６、７は、デフォルトのシンボルレベル設定情報によってシンボルレベル時間領域リソース設定を行う。例えば、デフォルトのシンボルレベル設定情報は予め定義されたシンボルレベル設定情報であってもよく、システム情報（ＳＩ）によって設定されたシンボルレベル設定情報であってもよい。
【００６３】
本具体例では、ｇＮＢが端末装置に複数のスロットを一括してスケジューリングする場合、後続スロットのシンボルレベル時間領域リソース設定に対してデフォルトのシンボルレベル設定情報を採用して設定することで、具体例４に比べて、ＲＲＣ情報を送信する必要がなく、それによりＲＲＣのシグナリングオーバーヘッドを低減させる。
【００６４】
上記具体例からわかるように、指示情報の数が設定対象スロットの数より小さいため、設定対象スロットの一部は指示情報の指示に基づいてシンボルレベル時間領域リソース設定を行い、残りは統一したシンボルレベル時間領域リソース設定を採用し、従って、図１又は図２に示される従来の関連技術のスキームに比べて、スロットのシンボルレベル設定の柔軟性を向上させるだけでなく、シグナリングオーバーヘッドを低減させることができる。
【００６５】
実施例４
上記実施例と同じ発明のコンセプトに基づき、図１２は本発明の実施例に係るネットワーク装置１２０を示し、前記ネットワーク装置１２０は送信部１２０１及び第１データ伝送部１２０２を備え、
前記送信部１２０１は、第１シグナリングを第２ネットワーク装置に送信するように構成され、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第１データ伝送部１２０２は、前記第１シグナリング中の指示情報に対応するシンボルレベル設定情報に基づき、前記第２ネットワーク装置とデータ伝送を行うように構成される。
【００６６】
可能な実施形態では、前記送信部１２０１はさらに、第２シグナリングを前記第２ネットワーク装置に送信するように構成され、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【００６７】
可能な実施形態では、前記シンボルレベル設定情報は前記設定対象スロット中のデータ伝送を行う開始シンボル及び終了シンボルを含み、又は設定対象スロット中のデータ伝送を行う開始シンボル及びシンボル数を含み、又は設定対象スロット中のデータ伝送を行うシンボルを指示する１つのビットマップを含む。
【００６８】
可能な実施形態では、前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００６９】
可能な実施形態では、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【００７０】
具体的には、前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報である。
【００７１】
可能な実施形態では、前記第１シグナリングは、ダウンリンク制御情報（ＤＣＩ）によって搬送され、
又はメディアアクセス制御層制御要素（ＭＡＣＣＥ）によって搬送される。
【００７２】
可能な実施形態では、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【００７３】
可能な実施形態では、前記第２シグナリングは無線リソース制御（ＲＲＣ）シグナリングによって搬送され、又はＭＡＣＣＥによって搬送される。
【００７４】
可以理解地、本実施例では、「部」は一部の回路、一部のプロセッサ、一部のプログラム又はソフトウェア等であってもよく、勿論、ユニットであってもよく、モジュールであってもよく、モジュール化されたものでなくてもよい。
【００７５】
また、本実施例の各構成要素は１つの処理ユニットに集積されてもよく、各ユニットが各々物理的に存在してもよく、２つ以上のユニットが１つのユニットに集積されてもよい。上記集積されたユニットはハードウェアの形態で実現されてもよく、ソフトウェア機能モジュールの形態で実現されてもよい。
【００７６】
前記集積されたユニットはソフトウェア機能モジュールの形態で実現され且つ独立した製品として販売又は使用される場合、コンピュータ可読記憶媒体に記憶されてもよく、このような理解に基づいて、本実施例の技術案は本質的には又は従来技術に貢献する部分又は該技術案のすべて又は一部はソフトウェア製品の形態で具現化でき、該コンピュータソフトウェア製品は記憶媒体に記憶され、コンピュータ装置（パソコン、サーバ、又はネットワーク装置等）又はｐｒｏｃｅｓｓｏｒ（プロセッサ）に本実施例に記載の方法のすべて又は一部のステップを実行させるための複数の命令を含む。上記記憶媒体はＵディスク、モバイルディスク、読み出し専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプログラムコードを記憶可能な種々の媒体を含む。
【００７７】
従って、本実施例はコンピュータ可読媒体を提供し、該コンピュータ可読媒体はリソース指示のためのプログラムが記憶され、前記リソース指示のためのプログラムが少なくとも１つのプロセッサによって実行される時、
第１シグナリングを第２ネットワーク装置に送信するステップであって、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であるステップと、
前記第１シグナリング中の指示情報に対応するシンボルレベル設定情報に基づき、前記第２ネットワーク装置とデータ伝送を行うステップと、を実現する。
【００７８】
好ましくは、別の実施例として、前記リソース指示のためのプログラムがプロセッサによって実行される時、第２シグナリングを前記第２ネットワーク装置に送信するステップをさらに実行し、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【００７９】
好ましくは、別の実施例として、前記シンボルレベル設定情報は前記設定対象スロット中のデータ伝送を行う開始シンボル及び終了シンボルを含み、又は設定対象スロット中のデータ伝送を行う開始シンボル及びシンボル数を含み、又は設定対象スロット中のデータ伝送を行うシンボルを指示する１つのビットマップを含む。
【００８０】
好ましくは、別の実施例として、前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００８１】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【００８２】
好ましくは、別の実施例として、前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報である。
【００８３】
好ましくは、別の実施例として、前記第１シグナリングは、ダウンリンク制御情報（ＤＣＩ）によって搬送され、
又はメディアアクセス制御層制御要素（ＭＡＣＣＥ）によって搬送される。
【００８４】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【００８５】
好ましくは、別の実施例として、前記第２シグナリングは無線リソース制御（ＲＲＣ）シグナリングによって搬送され、又はＭＡＣＣＥによって搬送される。
【００８６】
上記ネットワーク装置１２０及びコンピュータ可読媒体に基づき、図１３は本発明の実施例に係るネットワーク装置１２０の具体的なハードウェア構造を示し、
第１ネットワークインタフェース１３０１、第１メモリ１３０２及び第１プロセッサ１３０３を備え、各ユニットがバスシステム１３０４によって結合される。なお、バスシステム１３０４はこれらのユニット間の接続通信を実現するように構成される。バスシステム１３０４はデータバスを除き、さらに電源バス、制御バス及び状態信号バスを含む。しかし、説明を明瞭にするために、図１２では各種のバスはバスシステム１３０４と総称される。
【００８７】
第１ネットワークインタフェース１３０１は、ほかの外部ネットワークエレメントとの情報送受信中、信号の送受信を行うように構成され、
第１メモリ１３０２は、第１プロセッサ１３０３上で実行可能なコンピュータプログラムを記憶するように構成され、
第１プロセッサ１３０３は、前記コンピュータプログラムを実行する時、
第１シグナリングを第２ネットワーク装置に送信し、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第１シグナリング中の指示情報に対応するシンボルレベル設定情報に基づき、前記第２ネットワーク装置とデータ伝送を行うように構成される。
【００８８】
なお、本発明の実施例における第１メモリ１３０２は揮発性メモリ又は不揮発性メモリであり、又は揮発性及び不揮発性メモリの両方を含む。不揮発性メモリは読み出し専用メモリ（ＲＯＭ：Ｒｅａｄ−Ｏｎｌｙ  Ｍｅｍｏｒｙ）、プログラマブル読み出し専用メモリ（ＰＲＯＭ：Ｐｒｏｇｒａｍｍａｂｌｅ  ＲＯＭ）、消去可能プログラマブル読み出し専用メモリ（ＥＰＲＯＭ：Ｅｒａｓａｂｌｅ  ＰＲＯＭ）、電気的消去可能プログラマブル読み出し専用メモリ（ＥＥＰＲＯＭ：Ｅｌｅｃｔｒｉｃａｌｌｙ  ＥＰＲＯＭ）又はフラッシュメモリであってもよい。揮発性メモリはランダムアクセスメモリ（ＲＡＭ：Ｒａｎｄｏｍ  Ａｃｃｅｓｓ  Ｍｅｍｏｒｙ）であってもよく、外部高速キャッシュメモリとして機能する。制限的ではなく例示的に説明すると、様々な形態のＲＡＭは使用可能であり、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレート同期ダイナミックランダムアクセスメモリ（ＤＤＲＳＤＲＡＭ：Ｄｏｕｂｌｅ  Ｄａｔａ  Ｒａｔｅ  ＳＤＲＡＭ）、拡張同期ダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲＲＡＭ：Ｄｉｒｅｃｔ  Ｒａｍｂｕｓ  ＲＡＭ）が挙げられる。本明細書に記載のシステム及び方法の第１メモリ１３０２はこれら及び任意の適切なタイプのメモリを含むが、それらに限定されない。
【００８９】
第１プロセッサ１３０３は、信号処理能力を有する集積回路チップでありうる。実施中、上記方法の各ステップは第１プロセッサ１３０３中のハードウェアの集積論理回路又はソフトウェアの形態の命令によって行われる。上記第１プロセッサ１３０３は汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又はほかのプログラマブルロジックデバイス、ディスクリートゲート又はトランジスタロジック装置、ディスクリートハードウェアユニットであってもよい。本発明の実施例に開示されている各方法、ステップ及び論理ブロック図を実現又は実行できる。汎用プロセッサはマイクロプロセッサであってもよく、任意の通常のプロセッサ等であってもよい。本発明の実施例に開示されている方法のステップは直接ハードウェアデコードプロセッサによって実行され、又はデコードプロセッサのハードウェア及びソフトウェアモジュール組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体は第１メモリ１３０２に位置し、第１プロセッサ１３０３は第１メモリ１３０２中の情報を読み取り、そのハードウェアと組み合わせて上記方法のステップを実行する。
【００９０】
なお、本明細書に説明されるこれらの実施例はハードウェア、ソフトウェア、ファームウェア、ミドルウェア、マイクロコード又はそれらの組合せによって実現できる。ハードウェアによって実現される場合、処理ユニットは１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、デジタル信号プロセッサ（ＤＳＰ：Ｄｉｇｉｔａｌ  Ｓｉｇｎａｌ  Ｐｒｏｃｅｓｓｉｎｇ）、デジタル信号処理装置（ＤＳＰＤ：ＤＳＰ  Ｄｅｖｉｃｅ）、プログラマブルロジック装置（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本願に記載の機能を実行するほかの電子ユニット又はそれらの組合せにおいて実現できる。
【００９１】
ソフトウェアによって実現される場合、本明細書に記載の機能を実行するモジュール（例えば、プロセス、関数等）によって本明細書に記載の技術を実現できる。ソフトウェアコードはメモリに記憶され、且つプロセッサによって実行される。メモリはプロセッサ内又はプロセッサの外部に実現される。
【００９２】
好ましくは、別の実施例として、前記第１プロセッサ１３０３はさらに、前記コンピュータプログラムを実行する時、
第２シグナリングを前記第２ネットワーク装置に送信するように構成され、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【００９３】
好ましくは、別の実施例として、前記シンボルレベル設定情報は前記設定対象スロット中のデータ伝送を行う開始シンボル及び終了シンボルを含み、又は設定対象スロット中のデータ伝送を行う開始シンボル及びシンボル数を含み、又は設定対象スロット中のデータ伝送を行うシンボルを指示する１つのビットマップを含む。
【００９４】
好ましくは、別の実施例として、前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【００９５】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【００９６】
好ましくは、別の実施例として、前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報である。
【００９７】
好ましくは、別の実施例として、前記第１シグナリングは、ダウンリンク制御情報（ＤＣＩ）によって搬送され、
又はメディアアクセス制御層制御要素（ＭＡＣＣＥ）によって搬送される。
【００９８】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【００９９】
好ましくは、別の実施例として、前記第２シグナリングは無線リソース制御（ＲＲＣ）シグナリングによって搬送され、又はＭＡＣＣＥによって搬送される。
【０１００】
実施例５
上記実施例と同じ発明のコンセプトに基づき、図１４は本発明の実施例に係る別のネットワーク装置１４０を示し、受信部１４０１及び第２データ伝送部１４０２を備え、
前記受信部１４０１は、第１ネットワーク装置から送信される第１シグナリングを受信するように構成され、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第２データ伝送部１４０２は、前記第１シグナリング中の指示情報に対応するシンボルレベル設定情報に基づき、前記第１ネットワーク装置とデータ伝送を行うように構成される。
【０１０１】
可能な実施形態では、前記受信部１４０１はさらに、前記第１ネットワーク装置から送信される第２シグナリングを受信するように構成され、前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【０１０２】
可能な実施形態では、前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【０１０３】
可能な実施形態では、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【０１０４】
可能な実施形態では、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【０１０５】
可以理解地、本実施例では、「部」は一部の回路、一部のプロセッサ、一部のプログラム又はソフトウェア等であってもよく、勿論、ユニットであってもよく、モジュールであってもよく、モジュール化されたものでなくてもよい。
【０１０６】
また、本実施例の各構成要素は１つの処理ユニットに集積されてもよく、各ユニットが各々物理的に存在してもよく、２つ以上のユニットが１つのユニットに集積されてもよい。上記集積されたユニットはハードウェアの形態で実現されてもよく、ソフトウェア機能モジュールの形態で実現されてもよい。
【０１０７】
前記集積されたユニットはソフトウェア機能モジュールの形態で実現され且つ独立した製品として販売又は使用される場合、コンピュータ可読記憶媒体に記憶されてもよく、このような理解に基づいて、本実施例の技術案は本質的には又は従来技術に貢献する部分又は該技術案のすべて又は一部はソフトウェア製品の形態で具現化でき、該コンピュータソフトウェア製品は記憶媒体に記憶され、コンピュータ装置（パソコン、サーバ、又はネットワーク装置等）又はｐｒｏｃｅｓｓｏｒ（プロセッサ）に本実施例に記載の方法のすべて又は一部のステップを実行させるための複数の命令を含む。上記記憶媒体はＵディスク、モバイルディスク、読み出し専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプログラムコードを記憶可能な種々の媒体を含む。
【０１０８】
従って、本実施例はコンピュータ可読媒体を提供し、該コンピュータ可読媒体はリソース指示のためのプログラムが記憶され、前記リソース指示のためのプログラムが少なくとも１つのプロセッサによって実行される時、
第１ネットワーク装置から送信される第１シグナリングを受信するステップと、
前記第１シグナリング中の指示情報に対応するシンボルレベル設定情報に基づき、前記第１ネットワーク装置とデータ伝送を行うステップと、を実現し、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報である。
【０１０９】
好ましくは、別の実施例として、前記リソース指示のためのプログラムがプロセッサによって実行される時、前記第１ネットワーク装置から送信される第２シグナリングを受信するステップをさらに実行し、前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【０１１０】
好ましくは、別の実施例として、前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【０１１１】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【０１１２】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【０１１３】
上記ネットワーク装置１４０及びコンピュータ可読媒体に基づき、図１５は本発明の実施例に係るネットワーク装置１４０の具体的なハードウェア構造を示し、ネットワーク装置１４０は第２ネットワークインタフェース１５０１、第２メモリ１５０２及び第２プロセッサ１５０３を備え、各ユニットがバスシステム１５０４によって結合される。なお、バスシステム１５０４はこれらのユニット間の接続通信を実現するように構成される。バスシステム１５０４はデータバスを除き、さらに電源バス、制御バス及び状態信号バスを含む。しかし、説明を明瞭にするために、図１４では、各種のバスはバスシステム１５０４と総称される。
【０１１４】
前記第２ネットワークインタフェース１５０１は、ほかの外部ネットワークエレメントとの情報送受信中、信号の送受信を行うように構成され、
第２メモリ１５０２は、第２プロセッサ１５０３上で実行可能なコンピュータプログラムを記憶するように構成され、
第２プロセッサ１５０３は、前記コンピュータプログラムを実行する時、
第１ネットワーク装置から送信される第１シグナリングを受信し、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
前記第１シグナリング中の指示情報に対応するシンボルレベル設定情報に基づき、前記第１ネットワーク装置とデータ伝送を行うように構成される。
【０１１５】
なお、本発明の実施例における第２メモリ１５０２は揮発性メモリ又は不揮発性メモリであり、又は揮発性及び不揮発性メモリの両方を含む。不揮発性メモリは読み出し専用メモリ（ＲＯＭ：Ｒｅａｄ−Ｏｎｌｙ  Ｍｅｍｏｒｙ）、プログラマブル読み出し専用メモリ（ＰＲＯＭ：Ｐｒｏｇｒａｍｍａｂｌｅ  ＲＯＭ）、消去可能プログラマブル読み出し専用メモリ（ＥＰＲＯＭ：Ｅｒａｓａｂｌｅ  ＰＲＯＭ）、電気的消去可能プログラマブル読み出し専用メモリ（ＥＥＰＲＯＭ：Ｅｌｅｃｔｒｉｃａｌｌｙ  ＥＰＲＯＭ）又はフラッシュメモリであってもよい。揮発性メモリはランダムアクセスメモリ（ＲＡＭ：Ｒａｎｄｏｍ  Ａｃｃｅｓｓ  Ｍｅｍｏｒｙ）であってもよく、外部高速キャッシュメモリとして機能する。制限的ではなく例示的に説明すると、様々な形態のＲＡＭは使用可能であり、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレート同期ダイナミックランダムアクセスメモリ（ＤＤＲＳＤＲＡＭ：Ｄｏｕｂｌｅ  Ｄａｔａ  Ｒａｔｅ  ＳＤＲＡＭ）、拡張同期ダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲＲＡＭ：Ｄｉｒｅｃｔ  Ｒａｍｂｕｓ  ＲＡＭ）が挙げられる。本明細書に記載のシステム及び方法の第２メモリ１５０２はこれら及び任意の適切なタイプのメモリを含むが、それらに限定されない。
【０１１６】
第２プロセッサ１５０３は、信号処理能力を有する集積回路チップでありうる。実施中、上記方法の各ステップは第２プロセッサ１５０３中のハードウェアの集積論理回路又はソフトウェアの形態の命令によって行われる。上記第２プロセッサ１５０３は汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又はほかのプログラマブルロジックデバイス、ディスクリートゲート又はトランジスタロジック装置、ディスクリートハードウェアユニットであってもよい。本発明の実施例に開示されている各方法、ステップ及び論理ブロック図を実現又は実行できる。汎用プロセッサはマイクロプロセッサであってもよく、任意の通常のプロセッサ等であってもよい。本発明の実施例に開示されている方法のステップは直接ハードウェアデコードプロセッサによって実行され、又はデコードプロセッサのハードウェア及びソフトウェアモジュール組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体は第２メモリ１５０２に位置し、第２プロセッサ１５０３は第２メモリ１５０２中の情報を読み取り、そのハードウェアと組み合わせて上記方法のステップを実行する。
【０１１７】
なお、本明細書に説明されるこれらの実施例はハードウェア、ソフトウェア、ファームウェア、ミドルウェア、マイクロコード又はそれらの組合せによって実現できる。ハードウェアによって実現される場合、処理ユニットは１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、デジタル信号プロセッサ（ＤＳＰ：Ｄｉｇｉｔａｌ  Ｓｉｇｎａｌ  Ｐｒｏｃｅｓｓｉｎｇ）、デジタル信号処理装置（ＤＳＰＤ：ＤＳＰ  Ｄｅｖｉｃｅ）、プログラマブルロジック装置（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本願に記載の機能を実行するほかの電子ユニット又はそれらの組合せにおいて実現できる。
【０１１８】
ソフトウェアによって実現される場合、本明細書に記載の機能を実行するモジュール（例えば、プロセス、関数等）によって本明細書に記載の技術を実現できる。ソフトウェアコードはメモリに記憶され、且つプロセッサによって実行される。メモリはプロセッサ内又はプロセッサの外部に実現される。
【０１１９】
好ましくは、別の実施例として、前記第２プロセッサ１５０３はさらに、前記コンピュータプログラムを実行する時、
前記第１ネットワーク装置から送信される第２シグナリングを受信するように構成され、前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応する。
【０１２０】
好ましくは、別の実施例として、前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応する。
【０１２１】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報はデフォルトのシンボルレベル設定情報である。
【０１２２】
好ましくは、別の実施例として、前記設定対象スロットの数がＭである場合、前記第１シグナリングのＮ個の指示情報がＭ個の設定対象スロットのうちのＮ個の第３設定対象スロットのシンボルレベル設定情報に対応し、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報である。
【０１２３】
実施例６
上記実施例と同じ発明のコンセプトに基づき、図１６は本発明の実施例に係るリソース指示システム１６０を示し、第１ネットワーク装置１２０及び第２ネットワーク装置１４０を備え、前記第１ネットワーク装置１２０は、第１シグナリングを前記第２ネットワーク装置１４０に送信し、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報であり、
及び、前記第１シグナリング中の指示情報に対応するシンボルレベル設定情報に基づき、前記第２ネットワーク装置１４０とデータ伝送を行うように構成され、
前記第２ネットワーク装置１４０は、前記第１ネットワーク装置１２０から送信される前記第１シグナリングを受信し、
及び、前記第１シグナリング中の指示情報に対応するシンボルレベル設定情報に基づき、前記第１ネットワーク装置１２０とデータ伝送を行うように構成される。
【０１２４】
具体的な実施過程では、本実施例における第１ネットワーク装置１２０は好適には、上記実施例のいずれかに記載の第１ネットワーク装置１２０であり、第２ネットワーク装置１４０は好適には、上記実施例のいずれかに記載の第２ネットワーク装置１４０である。
【０１２５】
当業者であれば、本発明の実施例は方法、システム、又はコンピュータプログラム製品として提供できると理解できる。従って、本発明はハードウェアのみの実施例、ソフトウェアのみの実施例、又はソフトウェアとハードウェアを組み合わせた実施例の形態としてもよい。また、本発明はコンピュータ使用可能プログラムコードを含む１つ又は複数のコンピュータ使用可能記憶媒体（ディスクメモリ及び光メモリ等を含むが、それらに限定されない）で実施されるコンピュータプログラム製品の形態としてもよい。
【０１２６】
本発明は本発明の実施例に係る方法、装置（システム）、及びコンピュータプログラム製品のフローチャート及び／又はブロック図を参照して説明される。コンピュータプログラム命令によってフローチャート及び／又はブロック図の各プロセス及び／又はブロック、及びフローチャート及び／又はブロック図中のプロセス及び／又はブロックの組合せを実現すると理解できる。これらのコンピュータプログラム命令を汎用コンピュータ、専用コンピュータ、組み込みプロセッサ又はほかのプログラマブルデータ処理端末装置のプロセッサに提供して１つの機械を生成し、コンピュータ又はほかのプログラマブルデータ処理端末装置のプロセッサによって実行される命令により、フローチャートの１つのプロセス又は複数のプロセス及び／又はブロック図の１つのブロック又は複数のブロック中の指定された機能を実現するための装置を生成する。
【０１２７】
これらのコンピュータプログラム命令はコンピュータ又はほかのプログラマブルデータ処理端末装置が特定の方式で動作するようにガイドできるコンピュータ可読メモリに格納されてもよく、該コンピュータ可読メモリに格納される命令により、フローチャートの１つのプロセス又は複数のプロセス及び／又はブロック図の１つのブロック又は複数のブロック中の指定された機能を実現する命令装置を含む製品を生成する。
【０１２８】
これらのコンピュータプログラム命令はコンピュータ又はほかのプログラマブルデータ処理端末装置に搭載されてもよく、コンピュータ又はほかのプログラマブル端末装置で一連の操作ステップを実行してコンピュータ実装処理を生成し、それによりコンピュータ又はほかのプログラマブル端末装置で実行される命令はフローチャートの１つのプロセス又は複数のプロセス及び／又はブロック図の１つのブロック又は複数のブロック中の指定された機能を実現するステップを提供する。
【０１２９】
以上、本発明の好適実施例を説明したが、本発明の保護範囲を限定するものではない。
【産業上の利用可能性】
【０１３０】
本実施例では、指示情報の数が設定対象スロットの数より小さいため、Ｎ個の指示情報に従ってＭ（ＭはＮより大きい）個の設定対象スロットのデータ伝送に対してシンボルレベル設定を行う。従って、設定対象スロットの一部は指示情報の指示に基づいてシンボルレベル時間領域リソース設定を行い、残りは統一したシンボルレベル時間領域リソース設定を採用する。設定対象スロットごとにシンボルレベル設定情報を指示する必要がなく、シグナリングのオーバーヘッドを節約するだけでなく、すべての設定対象スロットのシンボルレベル設定情報に対して統一した指示を行う必要がなく、シンボルレベル設定の柔軟性を向上させる。
【図１】
2020537833.tif 000003
【図２】
2020537833.tif 000004
【図３】
2020537833.tif 000005
【図４】
2020537833.tif 000006
【図５】
2020537833.tif 000007
【図６】
2020537833.tif 000008
【図７】
2020537833.tif 000009
【図８】
2020537833.tif 000010
【図９】
2020537833.tif 000011
【図１０】
2020537833.tif 000012
【図１１】
2020537833.tif 000013
【図１２】
2020537833.tif 000014
【図１３】
2020537833.tif 000015
【図１４】
2020537833.tif 000016
【図１５】
2020537833.tif 000017
【図１６】
2020537833.tif 000018
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
リソース指示方法であって、
第１ネットワーク装置は、第１シグナリングを第２ネットワーク装置に送信するステップであって、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報を含むステップと、
前記第１ネットワーク装置は、前記第１シグナリング中の指示情報に対応するシンボルレベル設定情報に基づき、前記第２ネットワーク装置とデータ伝送を行うステップと、を含むことを特徴とする方法。
【請求項２】
前記第１シグナリングが、スロット数がＮ個より大きい設定対象スロットに対してＮ個のシンボルレベル設定情報に従って設定を行うことに用いられることは、
前記第１シグナリングが、Ｎ個のシンボルレベル設定に従って、スロット数がＮ個より大きい設定対象スロットのうちのＮ個のスロットに対してシンボルを設定することに用いられることを含む、
ことを特徴とする請求項１に記載の方法。
【請求項３】
前記設定対象スロットの数がＭである場合、前記第１シグナリングのＮ個の指示情報がＭ個の設定対象スロットのうちのＮ個の第３設定対象スロットのシンボルレベル設定情報を指示することに用いられ、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項１又は２に記載の方法。
【請求項４】
前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報であることを特徴とする請求項３に記載の方法。
【請求項５】
リソース指示方法であって、
第２ネットワーク装置は、第１ネットワーク装置から送信される第１シグナリングを受信するステップであって、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うことに用いられ、前記シンボルレベル設定情報は１つのスロット中のデータ伝送を行うシンボルを設定するための情報を含むステップと、
前記第２ネットワーク装置は、前記第１シグナリング中の指示情報に対応するシンボルレベル設定情報に基づき、前記第１ネットワーク装置とデータ伝送を行うステップと、を含むことを特徴とする方法。
【請求項６】
前記第１シグナリングが、スロット数がＮ個より大きい設定対象スロットに対してＮ個のシンボルレベル設定情報に従って設定を行うことに用いられることは、
前記第１シグナリングが、Ｎ個のシンボルレベル設定に従って、スロット数がＮ個より大きい設定対象スロットのうちのＮ個のスロットに対してシンボルを設定することに用いられることを含む、
ことを特徴とする請求項５に記載の方法。
【請求項７】
前記設定対象スロットの数がＭである場合、前記第１シグナリングのＮ個の指示情報がＭ個の設定対象スロットのうちのＮ個の第３設定対象スロットのシンボルレベル設定情報を指示することに用いられ、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項５に記載の方法。
【請求項８】
前記設定対象スロットの数がＭである場合、前記第１シグナリングのＮ個の指示情報がＭ個の設定対象スロットのうちのＮ個の第３設定対象スロットのシンボルレベル設定情報を指示することに用いられ、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項５又は６に記載の方法。
【請求項９】
ネットワーク装置であって、送信部及び第１データ伝送部を備え、
前記送信部は、第１シグナリングを第２ネットワーク装置に送信するように構成され、前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うための情報を含み、前記シンボルレベル設定情報は１つのスロット中のデータ伝送を行うシンボルを設定するための情報であり、
前記第１データ伝送部は、前記第１シグナリング中の指示情報に対応するシンボルレベル設定情報に基づき、前記第２ネットワーク装置とデータ伝送を行うように構成されることを特徴とするネットワーク装置。
【請求項１０】
前記送信部はさらに、第２シグナリングを前記第２ネットワーク装置に送信するように構成され、
前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応することを特徴とする請求項９に記載のネットワーク装置。
【請求項１１】
前記第１シグナリングが、Ｎ個のシンボルレベル設定に従って、スロット数がＮ個より大きい設定対象スロットのうちのＮ個のスロットに対してシンボルを設定することに用いられる、
ことを特徴とする請求項９又は１０に記載のネットワーク装置。
【請求項１２】
前記設定対象スロットの数がＭである場合、前記第１シグナリングのＮ個の指示情報がＭ個の設定対象スロットのうちのＮ個の第３設定対象スロットのシンボルレベル設定情報を指示することに用いられ、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項９に記載のネットワーク装置。
【請求項１３】
前記デフォルトのシンボルレベル設定情報は予め定義されたシンボルレベル設定情報、又は無線リソース制御（ＲＲＣ）シグナリング又はシステム情報（ＳＩ）によって設定されたシンボルレベル設定情報であることを特徴とする請求項１２に記載のネットワーク装置。
【請求項１４】
前記設定対象スロットの数がＭである場合、前記第１シグナリングのＮ個の指示情報がＭ個の設定対象スロットのうちのＮ個の第３設定対象スロットのシンボルレベル設定情報指示することに用いられ、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項１０に記載のネットワーク装置。
【請求項１５】
ネットワーク装置であって、受信部及び第２データ伝送部を備え、
前記受信部は、第１ネットワーク装置から送信される第１シグナリングを受信するように構成され、
前記第１シグナリングは対応するシンボルレベル設定情報を指示するためのＮ個の指示情報を含み、前記第１シグナリングは、スロット数がＮ個より大きい設定対象スロットに対してＮ個のシンボルレベル設定情報に従って設定を行うための情報を含み、前記シンボルレベル設定情報は１つのスロット中のデータ伝送を行うシンボルを設定するための情報であり、
前記第２データ伝送部は、前記第１シグナリング中の指示情報に対応するシンボルレベル設定情報に基づき、前記第１ネットワーク装置とデータ伝送を行うように構成されることを特徴とするネットワーク装置。
【請求項１６】
前記受信部はさらに、前記第１ネットワーク装置から送信される第２シグナリングを受信するように構成され、前記第２シグナリングはＰ個のシンボルレベル設定情報を含み、前記第１シグナリング中のＮ個の指示情報のうちの各々指示情報がそれぞれＰ個のシンボルレベル設定情報のうちの１つのシンボルレベル設定情報に対応することを特徴とする請求項１５に記載のネットワーク装置。
【請求項１７】
前記設定対象スロットの数がＭであり、ＭがＮより大きい場合、前記第１シグナリングのＮ個の指示情報のうちのＮ−１個の第１指示情報がＭ個の設定対象スロットのうちのＮ−１個の第１設定対象スロットのシンボルレベル設定情報に対応し、前記Ｎ個の指示情報のうちの前記第１指示情報以外の第２指示情報がＭ個の設定対象スロットのうちの前記第１設定対象スロット以外のＭ−Ｎ＋１個の第２設定対象スロットのシンボルレベル設定情報に対応することを特徴とする請求項１５又は１６に記載のネットワーク装置。
【請求項１８】
前記第１シグナリングが、Ｎ個のシンボルレベル設定に従って、スロット数がＮ個より大きい設定対象スロットのうちのＮ個のスロットに対してシンボルを設定することに用いられることを特徴とする請求項１５に記載のネットワーク装置。
【請求項１９】
前記設定対象スロットの数がＭである場合、前記第１シグナリングのＮ個の指示情報がＭ個の設定対象スロットのうちのＮ個の第３設定対象スロットのシンボルレベル設定情報を指示することに用いられ、前記Ｍ個の設定対象スロットのうちの前記第３設定対象スロット以外のＭ−Ｎ個の第４設定対象スロットのシンボルレベル設定情報はデフォルトのシンボルレベル設定情報であることを特徴とする請求項１５又は１８に記載のネットワーク装置。
【請求項２０】
前記設定対象スロットの数がＭである場合、前記第１シグナリングのＮ個の指示情報がＭ個の設定対象スロットのうちのＮ個の第３設定対象スロットのシンボルレベル設定情報を指示することに用いられ、前記Ｍ個の設定対象スロットのうちの前記第３設定対象スロット以外のＭ−Ｎ個の第４設定対象スロットのシンボルレベル設定情報が前記Ｐ個のシンボルレベル設定情報のうちの予め設定されたシンボルレベル設定情報であることを特徴とする請求項１５に記載のネットワーク装置。
【国際調査報告】
2020537833.tif 000019
2020537833.tif 000020
2020537833.tif 000021
2020537833.tif 000022